(57)【要約】【課題】  ツイストペア線の撚りをほぐさずにコネクタ本体に簡単に接続でき、撚りなし部の存在による耐ノイズ性の劣化を防止する。【解決手段】  ツイストペア線１の一対の電線１ａ，１ｂの夫々を撚られた交差部間の部位で挟持する一対の圧接端子６，７をコネクタ本体３の上部に設け、ツイストペア線１の撚りピッチに合わせた円弧状のガイド部８，９を圧接端子６，７に近接して設け、圧接端子６，７に挟持されない片方の電線をガイド部に沿わせて配置した。【選択図】  図１
2006244854.tif 000002
【特許請求の範囲】
【請求項１】
ツイストペア線の一対の電線の夫々を撚られた交差部間の部位で挟持する一対の圧接端子をコネクタ本体の上部に設け、
ツイストペア線の撚りピッチに合わせた円弧状のガイド部を圧接端子に近接して設け、  前記圧接端子に挟持されない片方の電線を前記ガイド部に沿わせて配置したことを特徴とする多重通信線用コネクタ。
【請求項２】
前記ツイストペア線の交差部を挟持する交差ガイド部を設けたことを特徴とする請求項１に記載の多重通信線用コネクタ。
【請求項３】
前記ガイド部の形状を上部が薄く下部が厚い山形形状に形成したことを特徴とする請求項１又は２に記載の多重通信線用コネクタ。
【請求項４】
前記ガイド部を１つの圧接端子を中央に挟むようにかつ中間部が外側に膨らんだ円弧状の一対のものとして形成したことを特徴とする請求項１ないし３のいずれか１項に記載の多重通信線用コネクタ。
【発明の詳細な説明】
【技術分野】
【０００１】
本発明は、自動車用多重通信システムなどに用いられる多重通信線を分岐するためのコネクタに関する。
【背景技術】
【０００２】
多重通信線、すなわちツイストペア線を分岐するには、従来、図９に示すようなコネクタが知られている（特許文献１参照）。これは、ハウジング（コネクタ本体）２０とカバー２１とが２つの接続部２２により接続された、樹脂一体成形のコネクタであり、カバー２１を起こして、カバー２１の両端に形成された係止片３２ａ，３２ｂを、ハウジング２０の開口部３１ａ，３１ｂに係止することで、カバー２１が閉じてハウジング２０に固定されるように構成されている。ハウジング２０には、略Ｕ字形に折り曲げ形成された第１および第２の２つの圧接端子２９，３０がそれらの開口端を対向して配置されている。ハウジング２０の中央部には、２つの第１および第２の圧接端子２９，３０の開口端部側（一端部側）を圧入支持するとともに、隔離するための隔壁支持部２３が一体的に突出されている。すなわち、この隔壁支持部２３には第１および第２の圧接端子２９，３０の開口端部側を圧入される４つの圧入溝２４が形成されている。また、ハウジング２０の、前記隔壁支持部２３の両側には、第１および第２の圧接端子２９，３０の他端部を夫々圧入支持するための側壁支持部２５，２６が夫々突設されている。すなわち、側壁支持部２５，２６の夫々には、圧接端子２９，３０の他端部を圧入する平面視略Ｕ字形の圧入溝２７，２８が夫々形成されている。
【０００３】
幹線用ツイストペア線１の一対の電線１ａ，１ｂは、圧接端子２９，３０に夫々接続する部分において絶縁被覆が除去され、電線１ａ，１ｂの心線３ａ，３ｂは夫々の２個所において圧接端子２９，３０の溝に導通している。これと同様に、支線用ツイストペア線２の一対の電線２ａ，２ｂは、圧接端子２９，３０に夫々接続する部分において絶縁被覆が除去され、電線２ａ，２ｂの心線４ａ，４ｂは夫々の２個所において圧接端子２９，３０の溝に導通している。
【０００４】
ハウジング２０には、電線１ａ，１ｂ，２ａ，２ｂをガイドして保持するための、一対のガイド溝部３５ａ，３５ｂが４組形成されている。一方、カバー２１には、カバー２１が閉じたときに、電線１ａ，１ｂ，２ａ，２ｂが干渉しないように、一対の切り欠き３３，３４が４組形成されている。また、ハウジング２０には大小８個の突起４１が形成され、これらの突起４１は、図２に示すように、カバー２１が閉じている状態のときに、カバー２１の大小８個の開口部に嵌合する。カバー２１には、カバー２１が閉じたときに、電線１ａ，１ｂ，２ａ，２ｂを押圧して屈曲させるための一対の押圧突起４２ａ，４２ｂが４組形成されている。
【０００５】
上述した従来例は、幹線用ツイストペア線の途中で、一対の圧接端子を介して支線用ツイストペア線を分岐接続するためのコネクタであるが、他の従来例としては、支線用ツイストペア線（ドロップ線）を無くした構造のもの（分岐機能内蔵コネクタ）が知られている（特許文献２参照）。これは、図１０に示すように、幹線用ツイストペア線１を圧接するとともに、オスコネクタのオス端子と嵌合する２つの圧接端子付メス端子（圧接端子付コネクタ端子）５３、その２つの圧接端子付メス端子５３を収容（内蔵）する略方形体のメスハウジング５０、そのメスハウジング５０の上部を覆う略方形体のカバー５１、及びメスハウジング５０とカバー５１とを連結する連結部５２から構成されている。メスハウジング５０には、その上面の一対の対辺側に、幹線用ツイストペア線１を挟んで挟持する電線保持部５０ａが形成され、また、メスハウジング５０には、その上面の中央部に、２つの圧接端子付メス端子５３を装着固定する端子固定部５０ｂ，５０ｃが形成され、また、メスハウジング５０には、その上面の他の一対の対辺側に、カバー５１のカバー係合部５１ｂが貫通する貫通孔５０ｄが形成されている。さらに、メスハウジング５０には、その長手方向両端部側面に、オスコネクタのハウジングの係合部と係合するコネクタ係合部５０ｅが形成されている。メスハウジング５０内部は、中空になっており、オスコネクタと嵌合する下面側が開口している。
【特許文献１】特開平８−１６２１８３号公報（第３，４頁、図１）
【特許文献２】特開２００２−２６０７４７号公報（第４頁、図２）
【発明の開示】
【発明が解決しようとする課題】
【０００６】
特許文献１，２に示すいずれの従来例でも、ツイストペア線の撚りをほぐすという工程が必要であった。何故なら、圧接端子がツイストペア線に対して垂直方向に並んでいるため、圧接端子同士の干渉、圧接端子間の樹脂の強度、製造性などの問題から圧接端子間の距離が必要となるので、ツイストペア線の撚りをほぐし、２線の間隔を広げる必要があるためである。このような撚りをほぐす工程があるために、作業性の面で問題があった。また、ツイストペア線には、コネクタに接続する前後に撚りなし部が必要となるので、この撚りなし部の耐ノイズ性が劣化するという不都合もあった。
【０００７】
そこで、本発明は、ツイストペア線の撚りをほぐす必要を無くし、耐ノイズ性の劣化を防止した多重通信線用コネクタを提供することを目的とする。
【課題を解決するための手段】
【０００８】
上述の目的を達成するため、本発明は、ツイストペア線の一対の電線の夫々を撚られた交差部間の部位で挟持する一対の圧接端子をコネクタ本体の上部に設け、ツイストペア線の撚りピッチに合わせた円弧状のガイド部を圧接端子に近接して設け、前記圧接端子に挟持されない片方の電線を前記ガイド部に沿わせて配置したものである。
【発明の効果】
【０００９】
本発明は、ツイストペア線の一対の電線の夫々を撚られた交差部間の部位で挟持する一対の圧接端子をコネクタ本体の上部に設け、ツイストペア線の撚りピッチに合わせた円弧状のガイド部を圧接端子に近接して設け、前記圧接端子に挟持されない片方の電線を前記ガイド部に沿わせて配置したので、ツイストペア線の撚りをほぐさずに、そのまま一対の電線の一方を圧接端子に挟持させるとともに片方の電線をガイド部に沿わせるので、作業性が向上するとともに、撚りなし部の耐ノイズ性の劣化も防止できる。
【発明を実施するための最良の形態】
【００１０】
以下に、本発明の実施形態について、図面を参照にして説明する。
【００１１】
図１において、本発明のコネクタも特許文献２に開示されたコネクタと同様に、ツイストペア線１を分岐する分岐部と、他のユニットのコネクタと嵌合して分岐部を介してツイストペア線１を他のユニットに接続するコネクタ本体（ハウジング）３を備えたものである。このコネクタ本体３とカバー４とを連結部５で連結し、カバー４でコネクタ本体３の上部を覆うようになっている。これらは、樹脂一体成形されている。コネクタ本体３の上部には、ツイストペア線１の一対の電線１ａ，１ｂの夫々を撚られた交差部間の部位で挟持する一対の圧接端子６，７を設けるとともに、この圧接端子６，７に近接して円弧状のガイド部８，９を設けてある。これらガイド部８，９は、ツイストペア線１の撚りピッチに合わせてある。また、この実施形態では、１つの圧接端子６又は７を中央に挟むように、かつ中間部が外側に膨らんだ円弧状の一対のものとなっていて、その対となるガイド部を符号８´，９´で示す。これらガイド部８，８´（９，９´）は、圧接端子６（７）を挟んで対称に配置されている。さらに、ツイストペア線１の交差部は、一対の交差ガイド部１０〜１２により挟持されている。これら交差ガイド部１０，１２は、コネクタ本体３の上部の両側に、交差ガイド部１１は、圧接端子６，７間の中間に夫々配置され、電線１ａ，１ｂの厚み程度の高さを有する突起から形成されている。
【００１２】
図２及び図３は、図１の右側面図と正面図を示し、ガイド部８，８´及び９，９´と交差ガイド部１０〜１２のコネクタ本体３の上部からの突出高さを揃えてある。コネクタ本体３の内部は中空になっており、図示しないオスコネクタと嵌合するように図３の下面側が開口している。
【００１３】
図４は、図１のＡ−Ａ線断面を示し、圧接端子７（圧接端子６も同じ）の上部には電線１ａを挟む（圧接端子６では電線１ｂを挟む）圧接部７ａ（６ａ）を形成してあり、この圧接部７ａに被覆を剥いだ電線１ａを挟み込む。圧接部６ａ，７ａは、導電性材料で形成される。
【００１４】
図５以下の他の実施形態は、特許文献１に開示されたようにツイストペア線１を幹線とし、もう１つのツイストペア線２を支線とし、バス分岐ジョイントとして使用される例を示すものである。
【００１５】
支線２は、電線２ａがガイド部８に沿って配置されたツイストペア線１の電線１ａの外側に接して配置され、電線２ｂが圧接端子６に挟持され、圧接端子７には電線２ａが挟持され、電線２ｂはガイド部９に沿って配置された電線１ｂの外側に接して配置されている。この実施形態における圧接端子６，７は、図８に示すように、２本の電線を挟持できる圧接部６ａ，７ａを形成してある。図８では圧接端子６と圧接部６ａを図示していないが、図８に示すものと同一構造である。
【００１６】
上記ガイド部８，８´及び９，９´は、図４及び図９の断面に示すように、上部が薄く下部が厚い山形形状に形成してあり、撚られたツイストペア線１，２の交差部間の部位、すなわち緩やかな円弧形状部分をガイド部外側へ上方から挿入して配置し易いようにしてある。また、上述した実施形態では、ガイド部８，９の外側にのみ接触するようにツイストペア線１，２を配置したが、図１や図５に示す圧接端子６，７で圧接された部分をガイド部８´，９´に沿わせて配置し、上のガイド部８，９に沿った部分を圧接端子６，７で圧接する実施形態も可能である。
【図面の簡単な説明】
【００１７】
【図１】本発明の実施形態を示す平面図。
【図２】図１の右側面図。
【図３】図１の正面図。
【図４】図１のＡ−Ａ線断面図。
【図５】他の実施形態を示す平面図。
【図６】図５の右側面図。
【図７】図５の平面図。
【図８】図５のＢ−Ｂ線断面図。
【図９】従来例を示す斜視図。
【図１０】他の従来例を示す斜視図。
【符号の説明】
【００１８】
１，２  ツイストペア線
１ａ，１ｂ，２ａ，２ｂ  電線
３    コネクタ本体
６，７  圧接端子
８，８´，９，９´  ガイド部
【図１】
2006244854.tif 000003
【図２】
2006244854.tif 000004
【図３】
2006244854.tif 000005
【図４】
2006244854.tif 000006
【図５】
2006244854.tif 000007
【図６】
2006244854.tif 000008
【図７】
2006244854.tif 000009
【図８】
2006244854.tif 000010
【図９】
2006244854.tif 000011
【図１０】
2006244854.tif 000012